(57)【要約】【課題】物干具として利用でき、小さく梱包可能で、しかも組み立てが容易なハンガーを提供する。【解決手段】伸長させた使用姿勢と、収縮させた収納姿勢とに伸縮自在に嵌合する複数のパイプ部材１１からなり、相互に間隔をあけて略平行に配置した１対の伸縮パイプ１２と、１対の伸縮パイプ１２間に上下に間隔をあけて略平行に架設支持した複数のハンガーバー１３とを備え、伸縮パイプ１２に複数の支持部材１４を設け、該複数の支持部材１４にハンガーバー１３の端部を側方より着脱自在に保持する保持溝１５を形成し、保持溝１５にハンガーバー１３の端部を保持させて、１対の伸縮パイプ１２間に複数のハンガーバー１３を架設支持した。【選択図】図１
2010094386.tif 000002
【特許請求の範囲】
【請求項１】
伸長させた使用姿勢と、収縮させた収納姿勢とに伸縮自在に嵌合する複数のパイプ部材からなり、相互に間隔をあけて略平行に配置した１対の伸縮パイプと、
前記１対の伸縮パイプ間に上下に間隔をあけて略平行に架設支持した複数のハンガーバーと、
を備え、
前記伸縮パイプに複数の支持部材を設け、該複数の支持部材に前記ハンガーバーの端部を側方より着脱自在に保持する保持溝を形成し、
前記保持溝にハンガーバーの端部を保持させて、前記１対の伸縮パイプ間に複数のハンガーバーを架設支持した、
ことを特徴とするハンガー。
【請求項２】
前記ハンガーバーを伸縮自在に構成した請求項１記載のハンガー。
【請求項３】
前記支持部材として、前記パイプ部材に第１支持部材を固定した請求項１又は２記載のハンガー。
【請求項４】
前記支持部材として、前記パイプ部材の端部に第２支持部材を固定し、この第２支持部材に前記パイプ部材の内側のパイプ部材に係脱可能なロック手段を設け、前記ロック手段により前記内側のパイプ部材の伸長量を調整可能となした請求項１〜３のいずれか１項記載のハンガー。
【請求項５】
前記支持部材として、前記パイプ部材に沿って移動自在な第３支持部材を設け、この第３支持部材に前記パイプ部材に係脱可能なロック手段を設け、前記ロック手段により第３支持部材の固定位置を調整可能となした請求項１〜４のいずれか１項記載のハンガー。
【請求項６】
前記支持部材に内側のパイプ部材を伸縮方向に案内する案内部を一体的に形成した請求項３又は４記載のハンガー。
【請求項７】
前記伸縮パイプの上端部に吊り具を取付けた請求項１〜６のいずれか１項記載のハンガー。
【発明の詳細な説明】
【技術分野】
【０００１】
本発明は、タオルやバスタオルのような細長い衣類等の物干具として好適に利用可能なハンガーに関するものである。
【背景技術】
【０００２】
衣類等の物干用のハンガーとして、床に自立設置して使用する自立タイプ以外に、壁等に傾斜状に立掛けて使用する立掛けタイプや、竿、ドアの上縁、天井、鴨居などに引っ掛けて使用する吊下げタイプなどのハンガーが提案され、実用化されている。
【０００３】
立掛けタイプのハンガーとしては、パイプ部材を折曲してなる門型フレームと、門型フレームの縦方向に延びる１対の縦フレームに、高さ方向に間隔をあけて架設支持した複数のハンガーバーとを有し、ハンガーを壁等に斜めに立掛けた状態で、ハンガーバーに衣類等を引っ掛けて使用するものが提案されている（例えば、特許文献１参照。）。このハンガーでは、輸送時や保管時等において嵩張らないように、縦フレームをその長さ方向の途中部において２つに分割可能に構成し、分割したハンガーを重ね合わせて、小さく梱包できるように構成されている。
【０００４】
また、吊下げタイプのハンガーとしては、相互に嵌合する複数のスライダからなる２本の伸縮アームと、両伸縮アーム間に架設状に設けた複数の物干しロッドとを備え、伸縮アームの上端部を天井に固定し、伸縮アームを伸長させた状態で、物干しロッドに衣類等を引っ掛けて使用するものが提案されている（例えば、特許文献２参照。）。
【０００５】
【特許文献１】意匠登録第１２９３６３１号公報
【特許文献２】特開昭６２−５７５９９号公報
【発明の開示】
【発明が解決しようとする課題】
【０００６】
特許文献１記載のハンガーでは、予め工場等においてハンガーバーを縦フレームに固定することで、縦フレームに対するハンガーバーの組立作業を省略して、組立作業に対する利用者の負担を軽減できるが、門型フレームを用いていることから、少なくとも門型部分の外形寸法までしかハンガーを小型に梱包できず、輸送性や保管性を十分に確保できないという問題があった。
【０００７】
一方、特許文献２記載のハンガーでは、伸縮アームから物干しロッドを取り外すとともに、伸縮アームを収縮させて梱包することで、ハンガーを小さく梱包できるが、物干しロッドの両端部を例えば螺合により伸縮アームに固定しており、ハンガーバーの本数の二倍の螺合箇所があることから、ハンガーの組立作業が煩雑になり、利用者の手を煩わせるという問題があった。
【０００８】
本発明の目的は、物干具として利用でき、小さく梱包可能で、しかも組み立てが容易なハンガーを提供することである。
【課題を解決するための手段】
【０００９】
本発明に係るハンガーは、伸長させた使用姿勢と、収縮させた収納姿勢とに伸縮自在に嵌合する複数のパイプ部材からなり、相互に間隔をあけて略平行に配置した１対の伸縮パイプと、前記１対の伸縮パイプ間に上下に間隔をあけて略平行に架設支持した複数のハンガーバーとを備え、前記伸縮パイプに複数の支持部材を設け、該複数の支持部材に前記ハンガーバーの端部を側方より着脱自在に保持する保持溝を形成し、前記保持溝にハンガーバーの端部を保持させて、前記１対の伸縮パイプ間に複数のハンガーバーを架設支持したものである。
【００１０】
このハンガーでは、これを１対の伸縮パイプと複数のハンガーバーとに分解し、更に伸縮パイプを収縮させて、小さく梱包できるので、ハンガーの輸送性や保管性を向上できる。また、予め工場等において伸縮パイプに対して支持部材を取り付けておき、利用者がハンガーを使用する際には、支持部材の保持溝に、ハンガーバーの端部を側方より嵌合保持させて、１対の伸縮パイプに複数のハンガーバーを順次架設支持させるとともに、伸縮パイプを伸長させて、ハンガーを組み立てることができるので、工具等を用いることなく簡単な作業でハンガーを容易に組み立てることができる。また、このように組み立てた状態で、ハンガーを壁等に斜めに立掛けたり、伸縮パイプの上端部をフック等の吊り具で、ドアの上縁部や鴨居、クローゼットの吊下げパイプなどに引っ掛けたりしてハンガーを設置し、ハンガーバーに衣類等を引っ掛けて衣類等を干したり、収納したりすることになる。なお、本明細書において、ハンガーバーの端部を保持溝に側方より嵌合保持させるとは、下方以外の上方、前方、後方、または斜め方向より、ハンガーバーの端部を保持溝に嵌合保持させることを含む意味で使用している。
【００１１】
ここで、前記ハンガーバーを伸縮自在に構成することが好ましい実施の形態である。このように構成すると、ハンガーバーを収縮させることで、ハンガーを一層小さく梱包することができるし、ハンガーバーを伸縮させて、設置スペースに応じてハンガーの大きさを最適に調整できる。
【００１２】
また、前記支持部材として、前記パイプ部材に第１支持部材を固定すること、前記支持部材として、前記パイプ部材の端部に第２支持部材を固定し、この第２支持部材に前記パイプ部材の内側のパイプ部材に係脱可能なロック手段を設け、前記ロック手段により前記内側のパイプ部材の伸長量を調整可能となすこと、前記支持部材として、前記パイプ部材に沿って移動自在な第３支持部材を設け、この第３支持部材に前記パイプ部材に係脱可能なロック手段を設け、前記ロック手段により第３支持部材の固定位置を調整可能となすこと、或いは第１〜第３の支持部材を任意に組み合わせてハンガーを構成すること、などが好ましい実施の形態である。
【００１３】
第１支持部材又は第２支持部材をパイプ部材の端部に固定して、これらの支持部材に内側のパイプ部材を伸縮方向に案内する案内部を一体的に形成することができる。このように構成すると、支持部材に対して、ハンガーバーの端部支持機能と、パイプ部材の案内機能の２つの機能を付与することができ、ハンガーの部品点数を少なくできるので好ましい。
【００１４】
ハンガーを壁等に斜めに立掛ける場合には、ハンガーの下端部に滑り止めを設けることが好ましく、ハンガーをドアの上縁部や鴨居、クローゼットの吊下げパイプなどに引っ掛ける場合には、ハンガーの上端部にフック等の吊り具を取付けることが好ましい。
【００１５】
また、ハンガーを壁等に立掛ける場合には、伸長させた伸縮パイプが収縮しないように、少なくとも伸縮するパイプ部材に関しては、ロック手段を備えた第２支持手段で該パイプ部材を伸長状態にロックできるように構成することになる。例えば、伸縮パイプを２本のパイプ部材で構成する場合には、下側（外側）のパイプ部材の上端部に第２支持部材を設け、上側（内側）のパイプ部材を伸長状態にロックできるように構成することになる。そして、上側のパイプ部材の上端部又は上端近傍部に第１支持部材を取り付けたり、上側のパイプ部材の途中に１乃至複数の第３支持部材を設けたりすることになる。また、伸縮パイプを３本以上のパイプ部材で構成する場合には、最も上側（内側）のパイプ部材よりも下側のパイプ部材の上端部に第２支持部材をそれぞれ設けることになる。そして、最も上側のパイプ部材の上端部又は上端近傍部に第１支持部材を取り付けたり、最も下側以外のパイプ部材の途中部に、１乃至複数の第３支持手段を設けたりすることになる。このように第２支持部材を設けるとパイプ部材を伸長状態にロックできる。また、第２支持部材や第３支持部材を設けると、支持部材の高さ位置を調整することで、ハンガーバーの高さを衣類等の長さに応じて調整できるので好ましい。
【００１６】
一方、ハンガーをドアや鴨居やクローゼットの吊下げパイプなどに引っ掛けて使用する場合には、ロック手段を有しない支持部材を用いても、ハンガーを設置した状態で、伸縮パイプを伸長状態に維持できるので、第１〜第３の支持手段を単独で或いは任意に組み合わせて採用することができる。
【発明の効果】
【００１７】
本発明に係るハンガーによれば、これを１対の伸縮パイプと複数のハンガーバーとに分解し、更に伸縮パイプを収縮させて、小さく梱包できるので、ハンガーの輸送性や保管性を向上できる。また、予め工場等において伸縮パイプに対して支持部材を取り付けておき、利用者がハンガーを使用する際には、支持部材の保持溝に、ハンガーバーの端部を側方より嵌合保持させて、１対の伸縮パイプに複数のハンガーバーを順次架設支持させるとともに、伸縮パイプを伸長させて、ハンガーを組み立てることができるので、工具等を用いることなく簡単な作業でハンガーを容易に組み立てることができる。
【発明を実施するための最良の形態】
【００１８】
以下、本発明を実施するための最良の形態について、図面を参照しながら説明する。
（第１実施形態）
この第１実施形態のハンガーは、壁等に斜めに立掛けて使用するものである。
図１〜図１０に示すように、ハンガー１０は、伸長させた図２に図示の使用姿勢と、収縮させた図３に図示の収納姿勢とに伸縮自在に嵌合する複数のパイプ部材１１からなり、相互に間隔をあけて略平行に配置した１対の伸縮パイプ１２と、１対の伸縮パイプ１２間に上下に間隔をあけて略平行に架設支持した複数のハンガーバー１３とを備え、伸縮パイプ１２に複数の支持部材１４を設け、該複数の支持部材１４にハンガーバー１３の端部を側方より着脱自在に保持する保持溝１５を形成し、保持溝１５にハンガーバー１３の端部を保持させて、１対の伸縮パイプ１２間に複数のハンガーバー１３を架設支持したものである。そして、伸縮パイプ１２にハンガーバー１３を架設支持させるとともに、伸縮パイプ１２を伸長させた状態で、このハンガー１０を壁Ｗに斜めに立掛けて、ハンガーバー１３に衣類等を引っ掛けて衣類等を干すように構成されている。
【００１９】
伸縮パイプ１２を構成するパイプ部材１１は、小判型断面の中空筒状の部材で構成されている。パイプ部材１１の断面形状は、小判型以外に、円形、角形、楕円形など、任意の断面形状に構成することができる。パイプ部材１１の素材としては、鉄、ステンレス、またはアルミニウム合金などの金属材料や、ＡＢＳ樹脂、フェノール樹脂、ポリイミド、ポリカーボネートなどの合成樹脂材料や、合成樹脂材料とガラス繊維や炭素繊維などの複合材料を採用できるが、安価に製作可能で、しかも軽量で耐久性に優れていることからアルミニウム合金で構成することが好ましい。
【００２０】
伸縮パイプ１２を構成する４本のパイプ部材１１の断面形状は略相似形に形成され、これら４本のパイプ部材１１を伸縮自在に嵌合させるためパイプ部材１１の外形寸法は、下側（外側）のパイプ部材１１から上側（内側）のパイプ部材１１へ行くにしたがって段階的に小さくなるように設定されている。ただし、伸縮パイプ１２を構成するパイプ部材１１の本数は、２本以上であれば任意の本数に設定可能である。
【００２１】
伸縮パイプ１２の下端部には、滑り止め部材１６が左右方向の枢支ピン１７により一定角度の範囲で回動自在に枢支され、滑り止め部材１６の下面にはゴムシートなどからなる滑り止めシート（図示外）が貼着され、図１に示すように、ハンガー１０を壁Ｗに斜めに立てかけた状態で、滑り止め部材１６が回動して滑り止めシートの略全面が床面Ｆに圧接されることで、ハンガー１０の下端部が床面Ｆに沿って容易に滑らないように構成されている。
【００２２】
図９、図１０に示すように、上側のパイプ部材１１の下端部には外方へ突出する４つの膨出部１１ａが周方向に間隔をあけて形成され、下側のパイプ部材１１の上端近傍部における左右の両側部にはパイプ部材１１の周方向に延びる長孔状の係合孔１１ｂが形成され、係合孔１１ｂの下縁部には内側へ突出する係止部１１ｃが形成され、上側のパイプ部材１１は膨出部１１ａが下側のパイプ部材１１の係止部１１ｃに係合することで、脱落しないように抜け止めされている。
【００２３】
図５に示すように、最も上側（内側）のパイプ部材１１の上端部には、該パイプ部材１１の上端開口部を閉鎖するプラグ部材１８が取付けられている。プラグ部材１８は、合成樹脂材料を用いて射出成形等により一体成形され、筒部１８ａをパイプ部材１１の端部に内嵌挿入して、パイプ部材１１の端部をカシメることによって、パイプ部材１１に固定されている。
【００２４】
ハンガーバー１３は、パイプ部材１１と同様の素材からなる断面円形のパイプ２０と、パイプ２０の両端部に固着した閉止部材２１とから構成されている。パイプ２０の断面形状は、パイプ部材１１と同様に円形以外の形状に構成することも可能であるが、引っ掛けた衣類等にシワが寄らないように、円形断面のものを好適に採用できる。尚、ハンガーバー１３としては、図１７、図１８に示すような伸縮可能な１対のパイプからなるものを採用することも可能である
【００２５】
閉止部材２１は、図４〜図７に示すように、パイプ２０の端部に挿入固定される円筒状の筒部２１ａと、パイプ２０の端部を閉止する略円板状の閉止部２１ｂとを有し、合成樹脂材料を用いて射出成形等により一体成形されている。閉止部材２１の閉止部２１ｂの外周部には鍔部２１ｃが形成され、鍔部２１ｃの直径Ｄ１はパイプ２０の直径Ｄ２よりも大径に構成され、閉止部材２１は、その筒部２１ａをパイプ２０の端部に内嵌挿入して、パイプ２０の端部をカシメることによって、パイプ２０に固定されている。尚、このパイプ２０を伸縮自在に嵌合する複数のパイプで構成することも好ましい実施の形態である。
【００２６】
伸縮パイプ１２にはハンガーバー１３の端部を架設状に支持するための支持部材１４として、伸縮パイプ１２における最も上側（内側）のパイプ部材１１に固定した第１支持部材１４Ａと、それ以外のパイプ部材１１の上端部に固定した第２支持部材１４Ｂとを備えている。尚、第１支持部材１４Ａは、最も上側のパイプ部材１１の上端部に設けることも可能であるが、図１に示すように、ハンガー１０を壁Ｗに斜めに立掛けたときに、最上段のハンガーバー１３と壁Ｗとの距離が狭くなり、該ハンガーバー１３に衣類等を引っ掛けたときに、該衣類等が壁Ｗに接触して汚れるので、衣類等が壁Ｗに接触しないように、パイプ部材１１の上端部から例えば１０ｃｍだけ下側の位置に固定することになる。
【００２７】
第１支持部材１４Ａは、図４〜図６に示すように、パイプ部材１１に外嵌固定される合成樹脂材料からなる本体部材２５を備え、本体部材２５にはパイプ部材１１が略隙間なく挿通可能な挿通孔２６が形成され、本体部材２５の前後の側部には略Ｕ字状のスリット２７が形成されて、スリット２７の内側には係合片２８が素材の弾性を利用して弾性変形可能に設けられている。
【００２８】
パイプ部材１１の上部には周方向に細長い前後１対の係合孔１１ｂが形成され、係合片２８の下端部には係合孔１１ｂの口縁に係合可能な係合突部２８ａが内側へ向けて突出状に形成されている。第１支持部材１４Ａは、係合突部２８ａの高さ分だけ係合片２８を外側へ弾性変形させながら、第１支持部材１４Ａをパイプ部材１１に沿って移動させ、係合片２８の係合突部２８ａが係合孔１１ｂに対面して、係合孔１１ｂに係合することで、パイプ部材１１の適正高さに高さ方向に移動しないように固定保持されている。但し、ビスやピン部材からなる固定具で第１支持部材１４Ａをパイプ部材１１に高さ方向に移動不能に固定することも可能である。
【００２９】
１対の伸縮パイプ１２の対向面側（以下、単に対向面側という）に位置する本体部材２５の側部には支持部２５ａが一体的に設けられている。支持部２５ａにはパイプ２０の端部と閉止部２１ｂを上方より受け入れ可能な上端側及び対向面側を開口させた上下方向に細長い保持溝１５が形成され、図６に示すように、保持溝１５の奥部側の溝幅Ｗ１は閉止部材２１の鍔部２１ｃの直径Ｄ１と略同じ幅に設定され、保持溝１５の対向面側の溝幅Ｗ２はパイプ２０の直径Ｄ２と略同じ幅に設定されている。保持溝１５の対向面側を形成する溝壁部３０の高さ方向の途中部には保持溝１５内へ突出する１対の規制部３１が形成され、両規制部３１を形成した部分の溝幅Ｗ３はパイプ２０の直径Ｄ２よりも多少狭く設定され、両規制部３１間を通って保持溝１５の下部側へパイプ２０をパチッと無理嵌めできるように構成されている。また、パイプ２０を保持溝１５の下部内に保持させた状態で、ハンガーバー１３を対向面側へ引き抜こうとしても、ハンガーバー１３の鍔部２１ｃが溝壁部３０に当接することで、保持溝１５からハンガーバー１３を抜き取れないように構成され、ハンガーバー１３は、その端部が第１支持部材１４Ａに強固に保持されるように構成されている。
【００３０】
第２支持部材１４Ｂは、図７〜図１０に示すように、パイプ部材１１の上端部に固定した本体部材２５Ｂと、該パイプ部材１１の内側に配置されるパイプ部材１１の伸縮移動をロックするロック手段３２を備えている。尚、前記第１支持部材１４Ａと同一部材には同一符号を付してその詳細な説明を省略する。また、本明細書において、第２支持部材１４Ｂが固定されるパイプ部材１１と、その内側に伸縮自在に配置されるパイプ部材１１とを区別して説明する場合には、前者を符号１１Ｓとし、後者を符号１１Ｕとして表わすものとする。
【００３１】
本体部材２５Ｂには、前記本体部材２５と同様に構成の支持部２５ａ及び保持溝１５が形成されている。また、本体部材２５Ｂにはパイプ部材１１Ｓが略隙間なく嵌合する挿通孔２６が形成され、本体部材２５Ｂの前後の側部には略Ｕ字状のスリット２７が形成されて、スリット２７の内側には係合片２８が素材の弾性を利用して弾性変形可能に設けられている。パイプ部材１１Ｓの上部には周方向に細長い前後１対の係合孔１１ｂが形成され、係合片２８の下端部には係合孔１１ｂの口縁に係合可能な係合突部２８ａが内側へ向けて突出状に形成されている。本体部材２５Ｂの上端部には内側のパイプ部材１１Ｕに略隙間なく嵌合して、該内側のパイプ部材１１Ｕを伸縮自在に案内する案内部３３が内側へ向けて突出状に形成されている。第２支持部材１４Ｂは、係合突部２８ａの高さ分だけ係合片２８を弾性変形させながら、パイプ部材１１の上端部が案内部３３に当接するまで、第２支持部材１４Ｂをパイプ部材１１Ｓに沿って下側へ移動させ、係合片２８の係合突部２８ａが係合孔１１ｂに係合することで、パイプ部材１１Ｓの上端部に抜け止めされた状態に固定保持されている。但し、ビスやピン部材からなる固定具で第２支持部材１４Ｂをパイプ部材１１に高さ方向に移動不能に固定することも可能である。
【００３２】
内側のパイプ部材１１Ｕの下端部には外方へ突出する４つの膨出部１１ａが周方向に間隔をあけて一体的に形成され、これら４つの膨出部１１ａは外側のパイプ部材１１Ｓの内面に略隙間なく配置されている。そして、内側のパイプ部材１１Ｕは、これら４つの膨出部１１ａと、外側に配置されるパイプ部材１１Ｓの上端部に設けた第２支持部材１４Ｂの案内部３３により、ガタなく伸縮自在に案内されている。
【００３３】
外側のパイプ部材１１Ｓの上端近傍部における左右の両側部にはパイプ部材１１Ｓの周方向に延びる長孔状の係合孔１１ｂが形成され、係合孔１１ｂの下縁部には内側へ突出する係止部１１ｃが形成され、内側のパイプ部材１１Ｕは膨出部１１ａが外側パイプ部材１１Ｓの係止部１１ｃに係合することで、脱落しないように抜け止めされている。
【００３４】
ロック手段３２について説明すると、本体部材２５Ｂの対向面側とは反対側には上下１対のブラケット３５が突出状に形成され、ブラケット３５にはレバー部材３６が上下方向の支軸３７を介して回動自在に支持されている。レバー部材３６は、支軸３７が挿通する略円筒状の軸部３６ａと、軸部３６ａから外方へ延びるレバー部３６ｂと、軸部３６ａの中心を挟んでレバー部３６ｂとは反対側の軸部３６ａの外面に形成した上下方向に延びる平坦面３６ｃとを備えている。
【００３５】
本体部材２５Ｂの側部と本体部材２５Ｂに内嵌するパイプ部材１１Ｓの側部には軸部３６ａに対面させて上下方向に細長い制動用スリット３８が形成され、軸部３６ａと内側のパイプ部材１１Ｕ間において制動用スリット３８内には細長い板状のロック部材３９が設けられている。そして、レバー部材３６を図８に実線で図示の解除位置に操作すると、軸部３６ａの平坦面３６ｃがロック部材３９に対面して、軸部３６ａと内側のパイプ部材１１Ｕの外面間にロック部材３９の厚さよりも大きな隙間が形成され、パイプ部材１１が上下方向に伸縮移動できる状態となり、レバー部材３６を図８に仮想線で図示のロック位置に操作すると、軸部３６ａの円周面がロック部材３９に対面して、ロック部材３９が軸部３６ａで押されて内側のパイプ部材１１Ｕに圧接され、パイプ部材１１Ｕが上下方向へ伸縮移動しないようにロックされることになる。なお、内側のパイプ部材１１Ｕは、ロック部材３９の下端部に膨出部１１ａが係合することによっても、外側のパイプ部材１１Ｓに対して抜け止めされている。
【００３６】
このハンガー１０を組み立てる際には、図６に仮想線で示すように、ハンガーバー１３のパイプ２０の端部が規制部３１を乗り越えて保持溝１５の下端部に嵌合するまで、ハンガーバー１３の端部を上方より保持溝１５に嵌合させて、ハンガーバー１３の端部を支持部に固定保持させる。このとき、ハンガーバー１３は、規制部３１により保持されて上方への抜けが規制されるとともに、ハンバーバーの閉止部材２１の鍔部２１ｃが溝壁部３０に係合することで軸方向への抜けが防止され、安定性よく支持部材１４に保持されることになる。
【００３７】
こうして、ハンガーバー１３の両端部を伸縮パイプ１２の第１支持部材１４Ａ及び第２支持部材１４Ｂに順次嵌合保持させて、左右の伸縮パイプ１２にハンガーバー１３を架設支持してから、或いはその前にレバー部材３６を解除位置に操作して、伸縮パイプ１２を伸長させてからレバー部材３６をロック位置に操作して、伸縮パイプ１２を伸長状態に保持させて、ハンガー１０を組み立てることになる。
【００３８】
そして、組み立てたハンガー１０を使用する際には、図１に示すように、ハンガー１０を建物の壁Ｗなどに斜めに立掛けて、ハンガーバー１３に衣類等を引っ掛けて、洗濯物を干すことになる。また、筒状部分を有する例えばカッターシャツやズボン等の衣類においては、ハンガーバー１３をカッターシャツやズボンの筒状部分に挿通させて干すこともできる。また、使用するハンガーバー１３の本数に応じて、必要なハンガーバー１３を支持するパイプ部材１１を伸長させたり、必要な本数のハンガーバー１３のみを伸縮パイプ１２に架設状に取付けたりすることもできる。ハンガー１０を収納する際には、全てのハンガーバー１３を伸縮パイプ１２から取り外し、伸縮パイプ１２を収縮させて収納することもできるし、ハンガーバー１３自体は取り外さないで、伸縮パイプ１２のみを収縮させて収納することもできる。
【００３９】
（第２実施形態）
次に、前記第１実施形態の構成を部分的に変更した第２実施形態について説明する。尚、前記第１実施形態と同一部材には同一符号を付してその詳細な説明を省略する。
第２実施形態のハンガー１０Ａは、図１１、図１２に示すように、前記伸縮パイプ１２に代えて、２本のパイプ部材１１を伸縮自在に嵌合させ、下側のパイプ部材１１の上端部に第２支持部材１４Ｂを設けた伸縮パイプ１２Ａを用い、第１支持部材１４Ａを省略して、上側のパイプ部材１１に該パイプ部材１１に沿って上下移動可能な３つの第３支持部材１４Ｃを設けたものである。ただし、３つの第３支持部材１４Ｃのうちの最も上側の第３支持部材１４Ｃは、前記第１支持部材１４Ａで置き換えることも可能である。また、第３支持部材１４Ｃの個数は架設支持するハンガーバー１３の本数に応じて任意に設定することができる。更に、伸縮パイプ１２Ａを構成するパイプ部材１１の本数は任意に設定可能であるが、部品点数を極力少なくするため、２本に設定することが好ましい。
【００４０】
第３支持部材１４Ｃは、図１１〜図１３に示すように、パイプ部材１１の途中部に移動自在に取付けた本体部材２５Ｃと、パイプ部材１１に対する本体部材２５Ｃの移動をロックするロック手段３２Ｃとを備えている。尚、本体部材２５Ｃは、前記第２支持部材１４Ｂの本体部材２５Ｂにおける係合片２８及び案内部３３を省略したものと同様に構成されているので、前記第２支持部材１４Ｂの本体部材２５Ｂと同一部材には同一符号を付してその詳細な説明を省略する。
【００４１】
ロック手段３２Ｃについて説明すると、本体部材２５Ｃの対向面側とは反対側には上下１対のブラケット３５が突出状に形成され、ブラケット３５にはレバー部材３６が上下方向の支軸３７を介して回動自在に支持されている。レバー部材３６は、支軸３７が挿通する略円筒状の軸部３６ａと、軸部３６ａから外方へ延びるレバー部３６ｂと、軸部３６ａの中心を挟んでレバー部３６ｂとは反対側の軸部３６ａの外面に形成した上下方向に延びる平坦面３６ｃとを備えている。
【００４２】
本体部材２５Ｃの側部には軸部３６ａに対面させて上下方向に細長い制動用スリット３８Ａが形成され、軸部３６ａとパイプ部材１１間において制動用スリット３８Ａ内には細長い板状のロック部材３９Ａが設けられている。そして、レバー部材３６を図１３（ａ）に図示の解除位置に操作すると、軸部３６ａの平坦面３６ｃがロック部材３９Ａに対面して、軸部３６ａと内側のパイプ部材１１の外面間にロック部材３９Ａの厚さよりも大きな隙間が形成され、パイプ部材１１が上下方向に伸縮移動できる状態となり、レバー部材３６を図１３（ｂ）に図示のロック位置に操作すると、軸部３６ａの円周面がロック部材３９に対面して、ロック部材３９Ａが軸部３６ａで押されて内側のパイプ部材１１に圧接され、パイプ部材１１が上下方向へ伸縮移動しないようにロックされることになる。
【００４３】
このハンガー１０を使用する際には、第２支持部材１４Ｂ及び第３支持部材１４Ｃの保持溝１５に、前記第１実施形態と同様にして、ハンガーバー１３の端部を嵌合保持させて、伸縮パイプ１２Ａにハンガーバー１３を架設支持するとともに、伸縮パイプ１２Ａを伸長させて第２支持部材１４Ｂのロック手段３２Ｃで、内側のパイプ部材１１が収縮しないようにロックし、更に第３支持部材１４Ｃをパイプ部材１１に沿って上下方向に移動させて、パイプ部材１１に予め形成した目印等に対応する高さ位置まで第３支持部材１４Ｃを移動させて、ロック手段３２Ｃで第３支持部材１４Ｃが移動しないように固定する。こうしてハンガー１０を図１１に示すような使用姿勢に展開させた状態で、これを壁Ｗ等に立掛けて、ハンガーバー１３に衣類等を干すことになる。
【００４４】
このハンガー１０では、断面寸法の異なる２本のパイプ部材１１で伸縮パイプ１２Ａを構成でき、また第３支持部材１４Ｃとして同一構成で同一寸法のものを採用できるので、部品点数を少なくしてハンガー１０の製作コストを安くできる。
【００４５】
尚、第３支持部材１４Ｃの高さ位置を適正に設定できるように、例えばパイプ部材１１に凹部又は貫通孔を形成し、第３支持部材１４Ｃに該凹部又は貫通孔に一部が係合する鋼球をバネ付勢した状態で設け、バネ力に抗して鋼球を凹部又は貫通孔から離脱させることで、第３支持部材１４Ｃを移動できるように構成し、鋼球の一部が凹部又は貫通孔に係合することで、第３支持部材１４Ｃが適正な高さ位置に保持されるように構成することが好ましい。
【００４６】
（第３実施形態）
次に、前記第１実施形態の構成を部分的に変更した第３実施形態について説明する。尚、前記第１実施形態と同一部材には同一符号を付してその詳細な説明を省略する。
第３実施形態のハンガー１０Ｂは、図１４〜図１６に示すように、ドアＤ等の上縁部にハンガー１０Ｂを引っ掛けて使用するもので、間隔をあけて略平行に配置される１対の伸縮パイプ１２Ｂと、１対の伸縮パイプ１２Ｂ間に上下に間隔をあけて略平行に架設支持される複数のハンガーバー１３とを備えている。伸縮パイプ１２Ｂには、ハンガーバー１３の端部を架設状に支持するための支持部材１４として、伸縮パイプ１２Ｂにおける最も下側（内側）のパイプ部材１１の下端部に倒立状に固定された第１支持部材１４Ａと、それ以外のパイプ部材１１の下端部に固定された第４支持部材１４Ｄとが設けられている。
【００４７】
伸縮パイプ１２Ｂを構成するパイプ部材１１は、前記第１実施形態と同様に相互に嵌合する断面寸法の異なる４種類のパイプ部材１１で構成されているが、第１実施形態とは異なり、断面寸法が大きい側を上側にして、最も上側（外側）のパイプ部材１１の上端部に固定したフック部材４０を、ドアＤ等の上縁部に引っ掛けて使用することになる。
【００４８】
第４支持部材１４Ｄは、第２支持部材１４Ｂにおけるロック手段３２を省略し、本体部材２５に代えて、保持溝１５を倒立状に配置させた本体部材２５Ｄを用い、この本体部材２５Ｄの保持溝１５の開口が上側へ向くように、パイプ部材１１の下端部に倒立状に固定することになる。
【００４９】
最も下側のハンガーバー１３にはハンガー１０とドアＤ間に隙間を形成するためのスペーサ部材４１が回動自在に設けられ、ハンガー１０をドアＤの上縁部に引っ掛けて使用する際には、図１に示すように、スペーサ部材４１をドアＤ側へ略水平に回動させて固定することになる。また、このスペーサ部材４１の遊端部にはフック部４１ａが形成され、伸縮パイプ１２Ｂを収縮させた状態で、最も上側のハンガーバー１３にフック部４１ａを引っ掛けて、４本のハンガーバー１３を束ねて保持できるように構成されている。
【００５０】
（第４実施形態）
次に、前記第１実施形態の構成を部分的に変更した第４実施形態について説明する。尚、前記第１実施形態と同一部材には同一符号を付してその詳細な説明を省略する。
第４実施形態のハンガー１０Ｃは、クローゼットの吊下げパイプＰにハンガー１０Ｃを引っ掛けて使用するもので、図１７、図１８に示すように、間隔をあけて略平行に配置される１対の伸縮パイプ１２Ｃと、１対の伸縮パイプ１２Ｃ間に上下に間隔をあけて略平行に架設支持される複数のハンガーバー１３Ｃとを備えている。伸縮パイプ１２Ｃには、ハンガーバー１３Ｃの端部を架設状に支持するための支持部材１４として、伸縮パイプ１２Ｃにおける下側（内側）のパイプ部材１１の下端部に倒立状に固定された第１支持部材１４Ａと、上側のパイプ部材１１の下端部に固定された第４支持部材１４Ｄとが設けられている。
【００５１】
伸縮パイプ１２Ｃを構成するパイプ部材１１Ｃは、前記第１実施形態のパイプ部材１１と同様の素材からなり、相互に嵌合する断面円形の１対のパイプ部材１１Ｃで構成され、上側（外側）のパイプ部材１１の上端部にはクローゼットの吊下げパイプＰに係脱可能なフック部材４３が設けられ、ハンガー１０Ｃは、フック部材４３を吊下げパイプＰに引っ掛けて使用することになる。
【００５２】
第４支持部材１４Ｄは、第２支持部材１４Ｂにおける本体部材２５Ｂに代えて、保持溝１５を倒立状に配置させた本体部材２５Ｄを用い、この本体部材２５Ｄの保持溝１５の開口が上側へ向くように、パイプ部材１１Ｃの下端部に倒立状に固定することになる。
【００５３】
ハンガーバー１３Ｃは、伸縮自在に嵌合する２本のパイプ２０Ｃで構成されている。ただし、第１実施形態のハンガーバー１３と同様に、１本のパイプ２０で構成することも可能である。
【００５４】
このハンガー１０を使用する際には、例えば図１７に示すように、クローゼットの吊下げパイプＰに、伸縮パイプ１２Ｃを伸長させてハンガー１０を設置した状態で、伸縮パイプ１２Ｃ間において、吊下げパイプＰ及び上下のハンガーバー１３に、丈の短い衣類を３段に吊下げて収納したり、図１８に示すように、伸縮パイプ１２Ｃを収縮させて、上下２段に衣類を吊下げて収納したり、伸縮パイプ１２Ｃ間の吊下げパイプＰや上下のハンガーバー１３に吊下げる比較的丈の短い衣類と、ハンガー１０Ｃの側方の吊下げパイプＰに吊下げるコートなどの丈の長い衣類の分量に応じて、ハンガーバー１３Ｃを伸縮させて吊下げスペースの大きさを調整したりして、クローゼット内における衣類を整理することになる。
【図面の簡単な説明】
【００５５】
【図１】ハンガーの使用状態の斜視図
【図２】使用姿勢のハンガーの斜視図
【図３】収納姿勢のハンガーの斜視図
【図４】第１支持部材及びハンガーバー端部の分解斜視図
【図５】（ａ）は図４のVa-Va線断面図、（ｂ）は図４のVb-Vb線断面図
【図６】支持部材に対するハンガーバー端部の組付方法の説明図
【図７】第２支持部材及びハンガーバー端部の分解斜視図
【図８】第２支持部材のロック手段の操作方法の説明図
【図９】（ａ）は解除状態における図７のIX-IX線断面図、（ｂ）はロック状態における図７のIX-IX線断面図
【図１０】（ａ）は図７のXa-Xa線断面図、（ｂ）は図７のXb-Xb線断面図
【図１１】第２実施形態のハンガーの斜視図
【図１２】同ハンガーの第３支持部材付近の斜視図
【図１３】（ａ）は解除状態における図１１のXIII-XIII線断面図、（ｂ）はロック状態における図１１のXIII-XIII線断面図
【図１４】第３実施形態のハンガーの使用状態の斜視図
【図１５】第４支持部材の横断面図
【図１６】（ａ）は図１５のXVIa-XVIa線断面図、（ｂ）は図１５のXVIb-XVIb線断面図
【図１７】第４実施形態のハンガーの使用状態の斜視図
【図１８】同ハンガーの他の使用状態の斜視図
【符号の説明】
【００５６】
Ｗ      壁                Ｆ      床面
Ｄ      ドア              Ｐ      吊下げパイプ
１０    ハンガー          １１    パイプ部材
１１ａ  膨出部            １１ｂ  係合孔
１１ｃ  係止部            １２    伸縮パイプ
１３    ハンガーバー      １４    支持部材
１４Ａ  第１支持部材      １４Ｂ  第２支持部材
１５    保持溝            １６    滑り止め部材
１７    枢支ピン          １８    プラグ部材
１８ａ  筒部
２０    パイプ            ２１    閉止部材
２１ａ  筒部              ２１ｂ  閉止部
２１ｃ  鍔部              ２５    本体部材
２５ａ  支持部            ２６    挿通孔
２７    スリット          ２８    係合片
２８ａ  係合突部
３０    溝壁部            ３１    規制部
３２    ロック手段        ３３    案内部
３５    ブラケット        ３６    レバー部材
３６ａ  軸部              ３６ｂ  レバー部
３６ｃ  平坦面            ３７    支軸
３８    制動用スリット    ３９    ロック部材
１０Ａ  ハンガー          １２Ａ  伸縮パイプ
１４Ｃ  第３支持部材      ２５Ｃ  本体部材
３２Ｃ  ロック手段        ３８Ａ  制動用スリット
３９Ａ  ロック部材
１０Ｂ  ハンガー          １２Ｂ  伸縮パイプ
２５Ｄ  本体部材          １４Ｄ  第４支持部材
４０    フック部材        ４１    スペーサ部材
４１ａ  フック部
１０Ｃ  ハンガー          １１Ｃ  パイプ部材
１２Ｃ  伸縮パイプ        １３Ｃ  ハンガーバー
２０Ｃ  パイプ            ４３    フック部材
【図１】
2010094386.tif 000003
【図２】
2010094386.tif 000004
【図３】
2010094386.tif 000005
【図４】
2010094386.tif 000006
【図５】
2010094386.tif 000007
【図６】
2010094386.tif 000008
【図７】
2010094386.tif 000009
【図８】
2010094386.tif 000010
【図９】
2010094386.tif 000011
【図１０】
2010094386.tif 000012
【図１１】
2010094386.tif 000013
【図１２】
2010094386.tif 000014
【図１３】
2010094386.tif 000015
【図１４】
2010094386.tif 000016
【図１５】
2010094386.tif 000017
【図１６】
2010094386.tif 000018
【図１７】
2010094386.tif 000019
【図１８】
2010094386.tif 000020